【手続補正書】
【提出日】平成17年3月30日(2005.3.30)
【手続補正１】
【補正対象書類名】明細書
【補正対象項目名】特許請求の範囲
【補正方法】変更
【補正の内容】
【特許請求の範囲】
【請求項１】
トラクタの後部に昇降可能の連結装置を介して、上下回動可能のエプロン及び均平板を備えたロータリ作業機の長さ方向中央作業部分を装着し、該中央作業部分に対し前記トラクタから動力を伝達すると共に、該中央作業部分から左右両側に延出している折り畳み作業部分を、それぞれ中央作業部分側に折り畳み可能とした農作業機であって、
上記均平板は、中央作業部分と左右の折り畳み作業部分の対向部分に、中央作業部分に対して折り畳み作業部分を折り畳み位置から作業位置に展開した状態で作業を行うとき、各均平板が土壌との接地圧により上下回動して隣り合う均平板の高さが同じになった際に自動的に水平連結状態となる自動連結手段を設けたことを特徴とする折り畳み農作業機。
【請求項２】
上記自動連結手段は、対向する上記均平板の端縁に設けた一対の連結部材を有し、その一方の連結部材は、他方の連結部材に向けて突没可能に弾持されると共に他方の連結部材は、一方の連結部材に当接する当接面を有することを特徴とする請求項１記載の折り畳み農作業機。
【請求項３】
上記均平板は、中央部分と左右の折り畳み部分との対向部分に、その一方にバネにより常時連結側に付勢されている連結ピンを設け、他方に該連結ピンの先端部と当接する傾斜案内板、及び該案内板により案内された連結ピンを挿通して連結する連結孔を設けたことを特徴とする請求項１記載の折り畳み農作業機。
【請求項４】
上記均平板は、折り畳み部分を折り畳み状態から作業状態に展開して、連結ピンの先端部を傾斜案内板に当接させた状態で作業を開始して均平板の中央部分と左右の折り畳み部分が接地抵抗により同じ高さになったとき、連結ピンが案内板により案内されて連結孔に自動的に挿通され、連結されることを特徴とする請求項１記載の折り畳み農作業機。
【手続補正２】
【補正対象書類名】明細書
【補正対象項目名】０００６
【補正方法】変更
【補正の内容】
【０００６】
【課題を解決するための手段】
上記の目的を達成するために本発明は、以下の構成を特徴としている。
一つには、トラクタの後部に昇降可能の連結装置を介して、上下回動可能のエプロン及び均平板を備えたロータリ作業機の長さ方向中央作業部分を装着し、該中央作業部分に対し前記トラクタから動力を伝達すると共に、該中央作業部分から左右両側に延出している折り畳み作業部分を、それぞれ中央作業部分側に折り畳み可能とした農作業機であって、上記均平板は、中央作業部分と左右の折り畳み作業部分の対向部分に、中央作業部分に対して折り畳み作業部分を折り畳み位置から作業位置に展開した状態で作業を行うとき、各均平板が土壌との接地圧により上下回動して隣り合う均平板の高さが同じになった際に自動的に水平連結状態となる自動連結手段を設けたことを特徴とする。
また一つには、上記自動連結手段は、対向する上記均平板の端縁に設けた一対の連結部材を有し、その一方の連結部材は、他方の連結部材に向けて突没可能に弾持されると共に他方の連結部材は、一方の連結部材に当接する当接面を有することを特徴とする。
【手続補正３】
【補正対象書類名】明細書
【補正対象項目名】０００７
【補正方法】変更
【補正の内容】
【０００７】
また一つには、上記均平板は、中央部分と左右の折り畳み部分との対向部分に、その一方にバネにより常時連結側に付勢されている連結ピンを設け、他方に該連結ピンの先端部と当接する傾斜案内板、及び該案内板により案内された連結ピンを挿通して連結する連結孔を設けたことを特徴とする。
また一つには、上記均平板は、折り畳み部分を折り畳み状態から作業状態に展開して、連結ピンの先端部を傾斜案内板に当接させた状態で作業を開始して均平板の中央部分と左右の折り畳み部分が接地抵抗により同じ高さになったとき、連結ピンが案内板により案内されて連結孔に自動的に挿通され、連結されることを特徴とする。
【手続補正４】
【補正対象書類名】明細書
【補正対象項目名】０００８
【補正方法】変更
【補正の内容】
【０００８】
【作用】
上記の構成により本発明の折り畳み農作業機は、均平板を折り畳み状態から展開状態にしたとき作業開始により対向部分が自動的に連結され、また、展開状態から折り畳むときは、連結が自動的に解除される。そして、圃場の大きさ、形状等に合わせて、中央部分と左右の折り畳み部分の全部で作業する形態、中央部分に対し左右の折り畳み部分を折り畳んで中央部分だけで作業する形態、中央部分に対し左右の作業機部分の何れかを折り畳んで中央部分と左右の作業機部分の何れかで、作業する形態を選択して作業することができる。
【手続補正５】
【補正対象書類名】明細書
【補正対象項目名】００１４
【補正方法】変更
【補正の内容】
【００１４】
前記均平板１７と均平板１７ａ，１７ａとの対向端部には、図４に詳細に示す均平板ロック装置１９が設けられている。均平板１７側に立設された支持板２０，２０間に連結ピン２１を左右摺動可能に支持し、この連結ピン２１にコイルバネ２２を巻装し、連結ピン２１に係止ピン２３を挿通して、連結ピン２１を常時連結側に付勢している。この連結ピン２１と対応して、均平板１７ａ側に、該連結ピン２１の先端部と当接する傾斜案内板２６により案内された連結ピン２１を挿通して連結する連結孔２５を設けている。そして、均平板１７、１７ａ，１７ａは、折り畳み部分の均平板１７ａ，１７ａを折り畳み状態から作業状態に展開すると、左右の作業機部分５Ｌ，５Ｒの均平板１７ａは自重により垂れ下がり、均平板制御体１８で制御されている中央の均平板１７に比べて下方に位置し、各連結ピン２１は傾斜案内板２６に当接した状態になる。連結ピン２１の先端部を傾斜案内板２６に当接させた状態で作業を開始して前進をはじめると中央部分の均平板１７と左右の折り畳み部分の均平板１７ａ，１７ａが接地抵抗により枢支軸１７ｂを中心に回動して同じ高さになったとき、連結ピン２１が案内板２６により案内されて連結孔２５に自動的に挿通され、連結される。また、折り畳み部分の均平板１７ａ，１７ａを折り畳むときは連結ピン２１は連結が自動的に解除される。さらに、均平板１７ａの外端部に、延長均平板を起倒可能に設けている。
【手続補正６】
【補正対象書類名】明細書
【補正対象項目名】００２５
【補正方法】変更
【補正の内容】
【００２５】
均平板１７ａ，１７ａを折り畳み状態から作業状態に展開すると、左右の作業機部分５Ｌ，５Ｒの均平板１７ａは自重により垂れ下がり、均平板制御体１８で制御されている中央の均平板１７に比べて下方に位置し、各連結ピン２１は傾斜案内板２６に当接した状態になる。連結ピン２１の先端部を傾斜案内板２６に当接させた状態で作業を開始して前進をはじめると中央部分の均平板１７と左右の折り畳み部分の均平板１７ａ，１７ａが接地抵抗により枢支軸１７ｂを中心に回動して同じ高さになったとき、連結ピン２１が案内板２６により案内されて連結孔２５に自動的に挿通され、連結される。また、折り畳み部分の均平板１７ａ，１７ａを折り畳むときは連結ピン２１は連結が自動的に解除される。また、中央部分４に対し左右の作業機部分５Ｌ（または５Ｒ）を回転部６を中心に回動して作業状態に展開したときは、クラッチ１１，１２はクラッチガイド１１ａ，１２ａに案内されて接続状態となり、図２に示すように、作業機部分５Ｌ（または５Ｒ）を回転部６を中心に回動して中央部分４上に折り畳んだときにはクラッチ１１，１２は自動的に切断される。
【手続補正７】
【補正対象書類名】明細書
【補正対象項目名】００２６
【補正方法】変更
【補正の内容】
【００２６】
【発明の効果】
以上説明したように本発明の折り畳み農作業機によれば、上述の構成により以下の効果を奏することができる。すなわち、均平板は、中央作業部分と左右の折り畳み作業部分の対向部分に、中央作業部分に対して折り畳み作業部分を折り畳み位置から作業位置に展開した状態で作業を行うとき、各均平板が土壌との接地圧により上下回動して隣り合う均平板の高さが同じになった際に自動的に水平連結状態となる自動連結手段を設けており、また、この自動連結手段は、対向する上記均平板の端縁に設けた一対の連結部材を有し、その一方の連結部材は、他方の連結部材に向けて突没可能に弾持されると共に他方の連結部材は、一方の連結部材に当接する当接面を有するので、折り畳み部分を折り畳み状態から作業状態に展開したとき自動的に連結され、左右の折り畳み部分を使用状態から折り畳むときには、左右の折り畳み部分を中央部分側に回動させるだけで連結が自動的に解除されて折り畳むことができる。
【手続補正８】
【補正対象書類名】明細書
【補正対象項目名】００２７
【補正方法】変更
【補正の内容】
【００２７】
また、均平板は、中央部分と左右の折り畳み部分とを、ヒンジにより常時接続状態に連結しておらず、中央部分と左右の折り畳み部分との対向部位に、その一方にバネにより常時連結側に付勢されている連結ピンを設け、他方に該連結ピンの先端部と当接する傾斜案内板、及び該案内板により案内された連結ピンを挿通して連結する連結孔を設けたので、均平板を折り畳み状態から展開状態にしたとき作業開始により対向部分を自動的に連結することができる。また、展開状態から折り畳むときは、連結を自動的に解除することができる。
【手続補正９】
【補正対象書類名】明細書
【補正対象項目名】００２８
【補正方法】変更
【補正の内容】
【００２８】
また、均平板は、折り畳み部分を折り畳み状態から作業状態に展開して、連結ピンの先端部を傾斜案内板に当接させた状態で作業を開始して均平板の中央部分と左右の折り畳み部分が接地抵抗により同じ高さになったとき、連結ピンが案内板により案内されて連結孔に自動的に挿通され、連結されるので、均平板を折り畳み状態から展開状態にしたとき、また、展開状態から折り畳むときに、自動的に連結し、また解除することができる。そして、圃場の大きさ、形状等に合わせて、中央部分と左右の折り畳み部分の全部で作業する形態、中央部分に対し左右の折り畳み部分を折り畳んで中央部分だけで作業する形態、中央部分に対し左右の作業機部分の何れかを折り畳んで中央部分と左右の作業機部分の何れかで、作業する形態とを選択して作業することができる。